(57)【特許請求の範囲】
【請求項１】
（ａ）オレフィン、ジオレフィン、メルカプタン及びチオフェンを含むナフサ沸点範囲炭化水素流れ、並びに有効量の水素を第一蒸留塔の供給帯域へ供給し、
（ｂ）メルカプタン、ジオレフィン、前記オレフィンの実質的な部分を含む前記ナフサ沸点範囲炭化水素流れのフラクションを、前記メルカプタンの一部と前記ジオレフィンの一部とを反応させてスルフィドとメルカプタン含量の減少したオーバーヘッド蒸留物製品を形成する条件下、接触蒸留構造物として作用する形態で準備された第VIII属金属水素化触媒を含む第一蒸留反応帯域中上方に沸騰させ、
（ｃ）前記第一蒸留塔反応器から前記スルフィド、チオフェン及びより重質メルカプタンを高沸点範囲フラクションとともに残油として除去し、
（ｄ）前記スルフィド、チオフェン及びより重質メルカプタンの一部と前記水素とを反応させてＨ2Ｓを形成する条件下、接触蒸留構造物として作用する形態で準備された水添脱硫触媒を含む第二蒸留反応帯域を有する第二蒸留塔反応器に、前記残油と水素を供給し、
（ｅ）前記第二蒸留塔反応器から前記オーバーヘッドからのガスとして前記Ｈ2Ｓを除去し、及び
（ｆ）前記第二蒸留塔反応器からナフサ製品を回収する、
の工程を含む、ナフサ沸点範囲の炭化水素流れから硫黄を除去する方法。
【請求項２】
前記第一蒸留塔反応器がデペンタナイザーであり、前記オーバーヘッドがＣ5及び軽質フラクションを含む請求項１記載の方法。
【請求項３】
前記第一蒸留塔反応器がデヘキサナイザーであり、前記オーバーヘッドがＣ6及び軽質フラクションを含む請求項１記載の方法。
【請求項４】
両方の蒸留塔反応器からの液体製品の全てが、ガソリン混合成分用に一緒にされる請求項１記載の方法。
【請求項５】
前記残油中に含まれるオレフィンの第一部分をアルカンに水素化し、前記残油中に含まれるオレフィンの第二部分を異性化して、ほんの少しオクタン価を減少させた、前記第二蒸留塔反応器からのナフサ製品を製造する請求項１記載の方法。
【請求項６】
前記水添脱硫触媒がアルミナベースに担持された二つの金属酸化物を含み、前記金属酸化物がモリブデン、コバルト、ニッケル、タングステン及びそれらの混合物からなる群から選択される請求項１記載の方法。
【請求項７】
前記第一蒸留塔反応器中の全圧が０〜２５０ｐｓｉｇの範囲であり、前記第二蒸留塔反応器中の全圧が２５〜３００未満ｐｓｉｇの範囲である請求項１記載の方法。
【請求項８】
前記第二蒸留塔反応器中の水素分圧が０．１〜１５０ｐｓｉである請求項７記載の方法。
【請求項９】
前記第一蒸留反応帯域中の温度が１３０〜２７０°Ｆの範囲であり、前記第二蒸留反応帯域中の温度が４００〜７５０°Ｆの範囲である請求項１記載の方法。
【請求項１０】
さらに、前記第二蒸留塔反応器からのオーバーヘッド流れを除去し、そのＨ2Ｓを前記オーバーヘッド流れからストリッピングする請求項１記載の方法。
【請求項１１】
前記第二蒸留塔反応器への水素流速が、前記第二蒸留塔反応器に対して１〜１０標準立方フィート／ポンド（供給）である請求項１記載の方法。
【請求項１２】
前記第一担持触媒が酸化パラジウムを含む請求項１記載の方法。
【請求項１３】
前記第一担持触媒が硫化ニッケルを含む請求項１記載の方法。
【発明の詳細な説明】
発明の分野
本発明は、本発明は一般的に石油留出油流れから有機硫黄化合物を除去する方法に関している。特に、本発明は、流れ中でメルカプタンとH2Sとをジオレフィンと反応し、スルフィドを製造し、それを第一反応蒸留塔中で他の硫黄化合物とともに除去し、第二反応蒸留塔に送られ、そこで、硫黄化合物を水素化して分解することによって、メルカプタン、H2S及び他の硫黄化合物をナフサ流れから除去する方法を包含している。
関連情報
石油蒸留物流れは種々の有機化学成分を含有する。一般に、石油蒸留物流れは沸点範囲によって画定され、この沸点範囲により組成が決まる。流れのプロセシングも組成に対して影響を及ぼす。例えば、接触分解法または熱分解法からの生成物は、高濃度のオレフィン系物質だけでなく飽和物質（アルカン）やポリ不飽和物質（ジオレフィン）も含有する。さらに、これらの成分は、化合物の種々の異性体のいずれであってもよい。
接触分解器からの分解ナフサは、その中に含まれるオレフィン化合物の結果として、比較的高オクタン価を有する。幾つかの場合では、このフラクションは、かなりの部分のオクタンとともに製油所企業連合中のガソリンの半分もの多くに寄与するかもしれない。
接触分解ナフサ（ガソリン沸点範囲物質）は、現在、米国でガソリン製品企業連合の大部分を形成し、それは、その硫黄の大部分を提供している。製品スペックに従い、又は、環境保全の規則に従うため、その硫黄不純物は除去、通常、水処理を必要としているかもしれない。
その硫黄化合物を除去する最も通常の方法は、水添脱硫法（ＨＤＳ）で、アルミナベース上に担持された水素化金属を含む固体粒状触媒に石油留出物を通すものである。供給物中にはさらに、多量の水素を含ませる。下記の式は、典型的なＨＤＳユニットにおける反応を示している。
（１）  ＲＳＨ ＋ Ｈ2  −−→  ＲＨ ＋ Ｈ2Ｓ
（２）  ＲＣｌ ＋ Ｈ2  −−→  ＲＨ ＋ ＨＣｌ
（３）  ２ＲＮ ＋ ４Ｈ2 −−→  ＲＨ ＋ ＮＨ3
（４）  ＲＯＯＨ ＋ ２Ｈ2  −−→  ＲＨ ＋ Ｈ2Ｏ
ＨＤＳ反応に対する典型的な操作条件は、以下のとおりである。
温度，°F                         600〜780
圧力，psig                       600〜3000
Ｈ2の再循環速度，SCF/bbl         1500〜3000
フレッシュなＨ2の補給，SCF/bbl   700〜1000
水添処理が完了した後、製品を分溜でき、又は単にフラッシュして硫化水素を放出でき、スウィートニングしたナフサを収集する。
高オクタン混合成分を供給するのに加えて、分解ナフサは、エーテル化のような他の方法においては、しばしばオレフィン源として使用される。硫黄を除去するためのナフサフラクションの水添処理の条件は、フラクション中のオレフィン化合物の幾つかを飽和してオクタン及びオレフィン源の損失を減少させことでもある。
硫黄を除去し、同時により望ましいオレフィンを保持することに関して様々な提案がなされてきた。分解ナフサ中のオレフィンは主にこれらのナフサの低沸点フラクションの中にあり、不純物を含有する硫黄は高沸点フラクション中で濃縮される傾向がある。最も普通の溶液は水添処理前に予備分留される。
主な軽質又は低沸点硫黄化合物はメルカプタンである一方、重質又は高沸点化合物はチオフェン及び他の複素環式化合物である。分留のみによる分離ではメルカプタンは除去しないであろう。しかしながら、過去には、メロックス（Ｍｅｒｏｘ）のような酸化法によりメルカプタンは容易に分離されていた。メルカプタンを酸化除去し、次いで重質フラクションを分留及び水添処理するこの組み合わせ方法は、米国特許第５，３２０，７４２号に開示されている。メルカプタンの酸化除去において、メルカプタンは対応するジスルフィドに転化される。
本発明の利点は、硫黄が流れ中の軽質オレフィン部分からその流れの重質部分へオレフィン実質的損失なく除去される。その重質部分中の全ての硫黄は水添脱硫によっＨ2Ｓへ転化され、炭化水素から容易に上流により除かれる。
発明の要約
端的に言って、本発明は、（ａ）オレフィン、ジオレフィン、メルカプタン及びチオフェンを含むナフサ沸点範囲炭化水素流れ、並びに有効量の水素を第一蒸留塔の供給帯域へ供給し、
（ｂ）メルカプタン、ジオレフィン、前記オレフィンの実質的な部分を含む前記ナフサ沸点範囲炭化水素流れのフラクションを、前記メルカプタンの一部と前記ジオレフィンの一部とを反応させてスルフィドとメルカプタン含量の減少したオーバーヘッド蒸留物製品を形成する条件下、接触蒸留構造物として作用する形態で準備された第VIII属金属水素化触媒を含む第一蒸留反応帯域中上方に沸騰させ、
（ｃ）前記第一蒸留塔反応器から前記スルフィド、チオフェン及びより重質メルカプタンを高沸点範囲フラクションとともに残油として除去し、
（ｄ）前記スルフィド、チオフェン及びより重質メルカプタンの一部と前記水素とを反応させてＨ2Ｓを形成する条件下、接触蒸留構造物として作用する形態で準備された水添脱硫触媒を含む第二蒸留反応帯域を有する第二蒸留塔反応器に、前記残油と水素を供給し、
（ｅ）前記第二蒸留塔反応器から前記オーバーヘッドからのガスとして前記Ｈ2Ｓを除去し、及び
（ｆ）前記第二蒸留塔反応器からナフサ製品を回収する、
の工程を含む、ナフサ沸点範囲の炭化水素流れから硫黄を除去する方法である。
前記第一反応器中のＨ2Ｓは、メルカプタンの場合と同様の方法で同一の条件下、ジオレフィンと反応し、スルフィドを形成する。
【図面の簡単な説明】
図面は、本発明の好ましい具体例を示す概略図である。
好ましい具体例の詳細な記載
典型的な分解ナフサは、貯蔵が不安定なため、望ましくないジオレフィンもまた含む。
本発明の方法は、好ましくは、第一蒸留塔反応器中で０〜２５０ｐｓｉｇの範囲のオーバーヘッド圧力、１００〜３００°Ｆ、好ましくは１３０〜２７０°Ｆの範囲の前記蒸留反応帯域内の温度で操作する。
供給物と水素は好ましくは蒸留塔反応器に別々に供給するか、又は供給前に混合してよい。混合した供給油を触媒床の下、又は触媒床の下部の端部に供給する。水素を単独で触媒床の下に供給し、炭化水素流れを触媒床の下に供給する。１００〜３００°Ｆの触媒床温度を維持するように圧力を設定する。
第一蒸留塔内のこれらの条件下、ジオレフィンをメルカプタン及びその中に含まれるＨ2Ｓと反応させて、スルフィドを形成し、そのスルフィドは大部分のオレフィンを含む低沸点フラクションから分離できる。
こうした反応は、以下のような式で表される。
0003691072.tif 000002
上記式中、Ｒ、Ｒ1、およびＲ2は、水素、および１〜20個の炭素原子を有するヒドロカルビル基から独立的に選ばれる。
これは、水素を消費する第二蒸留塔のＨＤＳ反応に比較できる。本発明で、メルカプタン及び／又は硫化水素（Ｈ2Ｓ）の除去中で消費される唯一の水素は、触媒を還元された「ハイドライド」（ｈｙｄｒｉｄｅ）状態に維持する。もし、同時にジエンの水素化があれば、水素はその反応中で消費されるであろう。
スルフィド反応製品、チオフェン硫黄化合物及び複素環式硫黄化合物を含む高沸点フラクションは、次いで、一般的に、２５〜約３００ｐｓｉｇ未満の範囲の圧力及び４００〜７００°Ｆの範囲の温度で水添処理し、有機硫黄化合物をＨ2Ｓに転化し、そして、それを分留により除去する。このＨ2Ｓは通常の公知の技術手段で元素硫黄に転化できる。
第一の具体例では、全沸点範囲分解ナフサをデペンタナイザー（ｄｅｐｅｎｔａｎｉｚｅｒ）に供給し、そこでＣ5及び軽質沸点成分を残部のナフサから分留する。さらに、デペンタナイザーは適当な触媒床を含み、この触媒床は蒸留構造物として作用し、かつ、ナフサ中のジオレフィンをメルカプタンと反応させてスルフィドを形成し、このスルフィドは、Ｃ5及び軽質フラクションよりもさらに高い沸点を有している。このスルフィドは、チオフェン及び他の複素環式硫黄化合物も含むＣ6残油とともに除去される。その望ましいオレフィンを含む軽質Ｃ5フラクションは、オーバーヘッドとして除去され、実質的に硫黄化合物を含まない。さらに、ジオレフィンは、ナフサ供給油中に含まれるＨ2Ｓと反応もし、スルフィドを形成し、さらにＣ5フラクションをスイートニングする。
Ｃ6フラクションを第二蒸留塔反応器に供給し、そこで水素を添加し、有機硫黄化合物と水素とを反応させ、蒸留により除去できるＨ2Ｓを形成する。反応器内に液体凝縮器を有する蒸留塔反応器を使用して、以前の標準水添処理で使用する水素分圧よりもより低い分圧を考慮している。
さらに、使用する触媒は、Ｃ6フラクション内に含まれるオレフィンの異性化もまた促進する。それは、オレフィンの飽和のためオクタンの損失を部分的にオフセットするものである。
第二の具体例において、第一蒸留塔反応器はデペンタナイザーよりはむしろデヘキサナイザーのほうがよい。オーバーヘッドはナフサをより多く含み、オレフィンをより多く含む。残油はまだスルフィド、チオフェン及び他の有機複素環式化合物を含む。オーバーヘッド流れが第三アミルメチルエーテル（ＴＡＭＥ）生成又はアルキル化のための供給油として使用されるとき、第一の具体例は好ましい。
この方法のための供給油は、ガソリン沸点範囲中で沸騰する硫黄含有石油フラクションである。このタイプの供給油は約Ｃ5〜３３０°Ｆの沸点範囲を有する軽質ナフサ及びＣ5〜４２０°Ｆの沸点範囲を有する全範囲ナフサを含む。一般に、この方法は、接触分解生成物が望ましいオレフィン及び望ましくない硫黄化合物を含んでいるので、接触分解生成物からのナフサ沸点範囲物質に有用である。直留ナフサはオレフィン物質は非常に少ない。もし、原油がサワーでないなら、硫黄は非常に少ない。
接触分解フラクションの硫黄含量は接触分解器への供給油の硫黄含量に依存する。また、この方法への供給油として使用する選択されたフラクションの沸点範囲にも依存する。軽質フラクションは高沸点フラクションよりも低い硫黄含量を有するであろう。ナフサのフロントエンドは大部分の高オクタンオレフィンを含むが、硫黄は比較的に少ない。フロントエンド中の硫黄成分は主にメルカプタンと典型的なこれらの化合物：即ち、メチルメルカプタン（ｂ．ｐ．４３°Ｆ）、エチルメルカプタン（ｂ．ｐ．９９°Ｆ）、ｎ−プロピルメルカプタン（ｂ．ｐ．１５４°Ｆ）、イソプロピルメルカプタン（ｂ．ｐ．１３５〜１４５°Ｆ）、イソブチルメルカプタン（ｂ．ｐ．１９０°Ｆ）、ｔｅｒｔ−ブチルメルカプタン（ｂ．ｐ．１４７°Ｆ）、ｎ−ブチルメルカプタン（ｂ．ｐ．２０８°Ｆ）、ｓｅｃ−ブチルメルカプタン（ｂ．ｐ．２０３°Ｆ）、イソアミルメルカプタン（ｂ．ｐ．２５０°Ｆ）、ｎ−アミルメルカプタン（ｂ．ｐ．２５９°Ｆ）、α−メチルブチルメルカプタン（ｂ．ｐ．２３４°Ｆ）、α−エチルプロピルメルカプタン（ｂ．ｐ．２９３°Ｆ）、ｎ−ヘキシルメルカプタン（ｂ．ｐ．３０４°Ｆ）、２−メルカプトヘキサン（ｂ．ｐ．２８４°Ｆ）及び３−メルカプトヘキサン（ｂ．ｐ．１３５°Ｆ）である。
Ｃ5沸点範囲フラクション中の典型的なジオレフィンは、イソプレン（２−メチル  ブタジエン−１，３）、シス−、トランス−ピペリレン（シス−、トランス−  １，３−ペンタジエン）及び少量のブタジエンを含む。
重質沸点フラクション中に見いだされる典型的な硫黄化合物は、重質メルカプタン、チオフェン、スルィド及びジスルィドを含む。
本発明で利用される反応のいずれでも有用な触媒は、第VIII属金属を含む。一般に、金属はアルミナ担体上に酸化物として堆積する。第一蒸留塔において、触媒は水素化触媒としての特徴を有する。ジオレフィンと硫黄化合物との反応は、水素とオレフィンとの反応よりも選択的である。好ましい触媒は、１９９５年７月１０日に出願された共願米国出願第０８／５００，１０１号に示されているパラジウム及び／又はニッケル又は二元床である。この出願はここに参照により含まれるが、この蒸留塔では、硫黄の除去はオレフィンを保存する意図で実施される。その金属は通常、酸化物として堆積するが、他の形態も利用できる。ニッケルは水素化の間、スルフィドの形態であると信じられている。
第二の蒸留塔では、硫黄化合物を破壊してＨ2Ｓを含む炭化水素流れをつくることを目的としており、Ｈ2Ｓは容易にその中の重質成分から分離できる。オレフィンに関係なく、この蒸留塔中のスルフィド及び他の硫黄化合物の破壊的水素化を実施する必要性なく、水添脱硫触媒はアルミナベース上に担持された二つの金属酸化物を含み、モリブデン、コバルト、ニッケル、タングステン及びそれらの混合物からなる群から選択される前記金属酸化物は好ましい触媒である。さらに好ましくは、ニッケル、モリブデン、タングステン及びこれらの混合物で変性されたコバルトが好ましい触媒である。触媒は担持されてよい。担体は通常小さい直径を有する押出物又は球である。そして、触媒は接触蒸留構造物の形態で製造されなければならない。この接触蒸留構造物は触媒及びマス（ｍａｓｓ）移動媒体として働くことができなければならない。触媒は適切に担持され、蒸留塔内に間隔をあけて置かれ、接触蒸留構造物として働かねばならない。好ましい具体例においては、触媒は、ここで参照してその内容が含まれる米国特許第５，２６６，５４６号に開示されているように金網メッシュ構造物中に含まれる。この目的に有用な他の接触蒸留構造物は、米国特許第４，７３１，２２９号、第５，０７３，２３６号及び第５，４３１，８９０号に開示されており、ここに参照して、その内容がここに含まれるものである。
ジオレフィンとメルカプタンとの反応のための適当な触媒は、Ｕｎｉｔｅｄ  Ｃａｔａｌｙｓｔｓ  Ｉｎｃ．製造の商品名Ｇ−６８Ｃとして知られる、７〜１４メッショのＡｌ2Ｏ3（アルミナ）球上の０．４％Ｐｄである。この触媒の典型的な物理的及び化学的性質は、その製造者から提供され、次のとおりである。
0003691072.tif 000003
メルカプタン−ジオレフィン反応に有用な他の触媒は、Ｃａｌｃｉｃａｔ製造、名称Ｅ−４７５−ＳＲの８〜１４メッシュのアルミナ球上の５８重量％のニッケルである。この製造者から提供されたこの触媒の典型的な物理的及び化学的特性は、次ぎのとおりである。
0003691072.tif 000004
その反応器への水素供給速度は、反応を維持するよう充分な高くなければならないが、塔の溢流を引き起こすような供給速度〔これは“実施量の水素”（effectuating amount of hydrogen）であると考えられ、ここではこの用語を使用する〕より低く保持しなければならない。一般には、第一蒸留塔において、供給物中の水素対〔ジオレフィン＋アセチレン類〕のモル比は少なくとも1.0：1.0であり、好ましくは少なくとも2.0：1.0である。第二の蒸留塔反応器において、硫黄化合物のすべてをＨ2Ｓに転化するために大量の水素が存在することが好ましい。第二蒸留塔反応器への供給油中の硫黄に基づいて、Ｈ2：Ｓのモル比は１０〜１０００：１の範囲である。その触媒はさらに、軽質分解ナフサ中に含まれているポリオレフィンの選択的水素化を触媒し、また程度はこれより小さいが、ある種のモノオレフィンの異性化も触媒する。一般的に、多種類の化合物の反応の相対速度は、速いものから遅いものへの順で次のとおりである。
（１）ジオレフィンとメルカプタンとの反応
（２）ジオレフィンの水素化
（３）モノ−オレフィンの異性化
（４）モノ−オレフィンの水素化
水添脱硫反応に適した触媒は、コバルト−モリブデン、ニッケル−モリブデン及びニッケル−タングステンである。これらの金属は一般的に、アルミナ、シリカ−アルミナ等のような中性ベースに担持された酸化物として存在する。使用中又は使用前に、硫黄化合物含有流れに暴露することによって、これらの金属はスルフィドに還元される。典型的な水添脱硫触媒の特性を下記の表IIIに示す。
0003691072.tif 000005
この方法への典型的な装填物は、流動接触分解ユニットからの全範囲ナフサである。そのようなナフサの特性を下記の表IVに示す。
0003691072.tif 000006
第一蒸留塔反応器において、圧力を約０〜２５０ｐｓｉｇに維持し、対応する温度を蒸留反応帯域において１３０〜２７０°Ｆにする。０．１〜７０ｐｓｉａ、より好ましくは、０．１〜１０ｐｓｉａの水素分圧を利用する。０．５〜５０ｐｓｉａの範囲の水素分圧が最適の結果をもたらす。
驚くべきことに、第二の蒸留塔においては、２５〜３００未満の範囲の低い全圧が水添脱硫のために要求される。水素分圧は、１５０ｐｓｉ未満、好ましくは、０．１ｐｓｉにまで下げて利用できる。好ましくは、約１５〜５０ｐｓｉである。蒸留反応帯域における温度は、４００〜７５０°Ｆである。第二蒸留塔反応器のための水素は１〜１０標準立方フィート（ＳＣＦ）／ポンド（供給油）の範囲で供給される。第二蒸留塔における呼称液体毎時空間速度（触媒の単位体積当たりの供給油液体体積）は、２〜５の範囲である。
本発明の一つの具体例を例示する図面を参照する。ナフサを流れ線１を経由して第一蒸留塔反応器１０に供給し、ジオレフィン／メルカプタン反応用の有効量の水素を流れ線２を経由して供給する。蒸留塔反応器１０は、その上方端に蒸留反応帯域１１を含む。蒸留反応帯域１１は、ジオレフィン／メルカプタン反応用の担持されたパラジウム触媒を含む。蒸留塔反応器１０は、好ましくは、Ｃ5及び軽質油又はＣ6及び軽質油をオーバーヘッドとして取り出すように操業できる。どちらの場合でも、オレフィンを改良する大部分のオクタン及びメルカプタンを含有する軽質フラクションが、蒸留反応帯域１１へ沸騰して上昇する。蒸留反応帯域１１では、実質的に全てのメルカプタンはジオレフィンと反応し、高沸点のスルフィドを生成する。第一蒸留塔反応器１０の低部は、ストリッピング部として作用し、Ｃ6+又はＣ7+物質を軽質成分から分離する。蒸留反応帯域１１で生成したジオレフィンもまた軽質フラクションから分離される。スルフィド及び重質チオフェン型化合物を含むＣ6+又はＣ7+物質は、蒸留塔反応器１０から残油として流れ線４を経由して取り出される。リボイラー４０及びリボイラーリターン６は、熱バランスのため提供される。実質的に硫黄のないＣ5又はＣ6及び軽質フラクションは流れ線３経由してオーバーヘッドとして取り出され、オーバーヘッドコンデンサ３０で凝縮される。製品は流れ線１８を経由して取り出され、望ましくは、ガソリン混合又は、さらなる加工をされる。環流２２は、反応及び分離をよりよくするため含めることができる。ラフィネート製品は線２３を経由して取り出される。
第一蒸留塔反応器１０からの残油は、流れ線５を通って、第二蒸留塔反応器２０へ供給され、水添脱硫反応用のさらなる水素は、流れ線７を経由して供給される。第二蒸留塔反応器２０は、脱硫のためのコバルト／モリブデン触媒を含む第二蒸留反応帯域２１を含む。第二蒸留反応帯域２１では、有機硫黄化合物（スルフィド及びチオフェン）は、水素と反応し、Ｈ2Ｓを生成し、Ｈ2Ｓは流れ線８を経由してオーバーヘッドとともに取り出され、ナフサを凝縮することによってオーバーヘッドナフサ製品から容易に分離できる。もし必要なら、Ｈ2Ｓストリッピング塔をオーバーヘッド製品のために追加することができる。再び、線２５により取り出されるラフィネート製品とともに、環流２４を反応及び分離を改善するため使用する。
残油を流れ線９を経由して取り出し、その残油は、オーバーヘッドのように実質的に硫黄含量が減少しており、両方共にガソリン混合成分として利用できる。製品は流れ線１６を経由して取り出され、リボイラー５０を熱バランスのため蒸留塔反応器２０に追加する。水添脱硫用蒸留塔反応器の利点のひとつは、生成する重質オレフィン化合物をいくらか異性化でき、モノオレフィン飽和によるオクタンの損失をほとんど埋め合わせできる。
実施例
上述したような特性を有する全範囲ＦＣＣナフサを３インチの直径を有する蒸留塔反応器へ供給する。この蒸留塔は、その上方２０フィートに担持されたパラジウム触媒を有し、１０フィートに担持されたニッケル触媒（パラジウム触媒の下方）を有する。どちらの触媒ともに、米国特許出願第０８／５００,１０１号（出願日１９９５年７月１０日）に開示されている方法で蒸留構造物として製造された。蒸留塔をデペンタナイザーとして操作し、Ｃ5及び軽質流れオーバーヘッドを取り出す。第一蒸留塔からの残油を第二蒸留塔反応器に供給する。第二蒸留塔反応器は、３インチの直径を有し、蒸留構造物として３０フィートのコバルト／モリブデン触媒を有する。蒸留塔を３５０°Ｆオーバーヘッドカット及び残部を残油として取り出すように操作した。条件及び結果を表Ｖに示す。
0003691072.tif 000007
0003691072.tif 000008
0003691072.tif 000009